(57)【要約】【課題】施工場所に合わせてサイズを調整できてリフォームに便利に用いることができる扉パネルを提供する。【解決手段】左右に対向するように配置した一対の縦框１と、一対の縦框１間に配置されて左右の縁部が縦框１の嵌め込み溝２に嵌め込まれた鏡板３と、鏡板３の背面に沿わせて左右の縦框１間に架設された棧部材４と、棧部材４の長手方向の両端に配置されて棧部材４の両端と縦框１とを連結する連結金具５とからなる。【選択図】　　　　図１
2004060240.tif 000002
【特許請求の範囲】
【請求項１】
左右に対向するように配置された一対の縦框と、一対の縦框間に配置されて左右の縁部が縦框の嵌め込み溝に嵌め込まれた鏡板と、鏡板の背面に沿わせて左右の縦框間に架設された棧部材と、棧部材の長手方向の両端に配置されて棧部材の両端と縦框とを連結する連結金具とから成ることを特徴とする扉パネル。
【請求項２】
樹脂にて断面略ユ字状に形成せる別部材の縁部材に嵌め込み溝を設けると共に縁部材を縦框に沿わせて取り付けたことを特徴とする請求項１記載の扉パネル。
【発明の詳細な説明】
【０００１】
【発明の属する技術分野】
本発明は、内装用の扉パネルの構造に関するものである。
【０００２】
【従来の技術】
一般に扉パネルは左右の一対の縦框と上下の一対の横框を矩形状に枠組して扉枠を形成し、扉枠に囲まれる部分に鏡板を配置して鏡板の周縁を扉枠の嵌め込み溝に嵌め込んで形成されている。
【０００３】
【発明が解決しようとする課題】
ところで、住宅をリフォームする場合、扉パネルも変えるが、既製の扉パネルでは寸法的に施工する場所に合わないことが多々ある。種々の施工場所に合わせようとすると、非常の多種類の扉パネルを用意しなければならないという問題がある。
【０００４】
本発明は上記の点に鑑みてなされたものであり、施工場所に合わせてサイズを調整できてリフォームに便利に用いることができる扉パネルを提供することを課題とするものである。
【０００５】
【課題を解決するための手段】
上記課題を解決するための本発明の扉パネルＡは、左右に対向するように配置された一対の縦框１と、一対の縦框１間に配置されて左右の縁部が縦框１の嵌め込み溝２に嵌め込まれた鏡板３と、鏡板３の背面に沿わせて左右の縦框１間に架設された棧部材４と、棧部材４の長手方向の両端に配置されて棧部材４の両端と縦框１とを連結する連結金具５とから成ることを特徴とする。一対の縦框１と鏡板３と棧部材４と連結金具５とを分解した状態で施工現場に運んでも施工現場で一対の縦框１間に鏡板３を配置して鏡板３の左右の縁部を縦框１の嵌め込み溝２に嵌め込み、鏡板３の背面に沿わせて棧部材４を左右の縦框１間に配置し、棧部材４の両端と縦框１とを連結金具５で連結することで扉パネルＡを組み立てることができて現場で扉パネルＡを容易に組み立てることができる。このように現場で容易に組み立てることができるために分解した状態で輸送できて嵩低くして輸送したり、複数に分けることで軽量な状態で輸送したりできる。また現場で組み立てるとき縦框１や鏡板３や棧部材４の端を切断することで施工現場の開口に合わせて扉パネルＡの横幅や縦幅を任意に調整することができ、施工現場に容易に合わせて施工できる。しかも扉パネルＡの横幅や縦幅を任意に調整できるために扉パネルＡの品種を少なくして対応することができる。
【０００６】
また樹脂にて断面略ユ字状に形成せる別部材の縁部材６に嵌め込み溝２を設けると共に縁部材６を縦框１に沿わせて取り付けたことを特徴とすることも好ましい。縦框１に縁部材６を取り付けて容易に嵌め込み溝２を形成することができ、安価に製造できる。
【０００７】
【発明の実施の形態】
扉パネルＡは図１、図２に示すように左右の一対の縦框１と矩形板状の鏡板３と複数本の棧部材４と複数個の連結金具５とで構成されている。縦框１は合板よりなる芯材７の表面に木質単板からなる表面仕上げ材８を貼って形成されており、縦框１の内側の隅には上下方向に亙って切り欠き９を設けてある。縁部材６は樹脂にて断面ユ字状に形成されており、長手方向の全長に亙って嵌め込み溝２を形成してある。この縁部材６は切り欠き９に嵌め込んで接着等で固着してあり、縦框１の長手方向に亙って装着してある。このように縁部材６を縦框１の切り欠き９に装着して嵌め込み溝２を形成すると、縦框１に複雑な溝加工で嵌め込み溝２を形成するのに比べて容易にできて安価に加工できる。
【０００８】
縦框１は左右に間隔を隔てて配置され、縦框１間に鏡板３が配置され、鏡板３の左右の縁部が嵌め込み溝２に嵌め込んである。木質材からなる棧部材４は鏡板３の背面に沿わせられて左右の縦框１間に架設され、必要に応じて粘着剤や接着剤を介して棧部材４が貼着されている。この棧部材４は上下に複数本平行に装着されるものであり、本例の場合、３本の棧部材４を平行に装着してある。連結金具５は断面略Ｚ字状に形成されており、縦框１と棧部材４の端部との間に配置されており、連結金具５の一片５ａがビス等の固着具１０で棧部材４の端部に固着されており、連結金具５の他片５ｂがビス等の固着具１０で縦框１に固着されている。
【０００９】
上記のように扉パネルＡが形成されるが、本例の場合、図３、図４に示すように一対の扉パネルＡを回転自在に蝶番にて連結して折り畳み自在な二つ折り扉Ｂを構成してある。また本例の場合、この二つ折り扉Ｂは収納庫１１の前面の開口を開閉するように取り付けられるものであり、一対の二つ折り扉Ｂを開閉自在に配置してある。二つ折り扉Ｂにはランナー部材１２を装着してあり、ランナー部材１２をガイドレール１３に対して摺動自在に装着してある。
【００１０】
上記のような扉パネルＡは例えば分解した状態で現場に輸送され、現場で組み立てられる。現場で組み立てる場合、一対の縦框１が左右に間隔を隔てて配置され、縦框１間に配置した鏡板３の左右の縁部が嵌め込み溝２に嵌め込まれ、鏡板３の背面に棧部材４が沿わせられ、棧部材４の両端に配置した連結金具５から固着具１０が打入されて棧部材４が取り付けられる。このようにして扉パネルＡを現場で容易に組み立てることができるために扉パネルＡを分解した状態で輸送することができ、嵩低くして輸送したり、複数に分けることで軽量な状態で輸送したりできる。本例のように一対の扉パネルＡで二つ折り扉Ｂを形成する場合は、図３に示すように隣り合う扉パネルＡの一方の縦框１同士は蝶番にて予め連結してあり、また他方の縦框１にはランナー部材１２を予め装着してある。
【００１１】
また現場で組み立てるとき、施工する場所に合わせて縦框１や鏡板３や棧部材４の端を切断して組み立てることにより扉パネルＡの横幅や縦幅を変えることができて施工現場に合わせた扉パネルＡを組み立てることができる。このように扉パネルＡの横幅や縦幅を変えることができることにより扉パネルＡの品種を少なくできる。
【００１２】
【発明の効果】
本発明の請求項１の発明は、左右に対向するように配置された一対の縦框と、一対の縦框間に配置されて左右の縁部が縦框の嵌め込み溝に嵌め込まれた鏡板と、鏡板の背面に沿わせて左右の縦框間に架設された棧部材と、棧部材の長手方向の両端に配置されて棧部材の両端と縦框とを連結する連結金具とからなるので、一対の縦框と鏡板と棧部材と連結金具とを分解した状態で施工現場に運んでも施工現場で一対の縦框間に鏡板を配置して鏡板の左右の縁部を縦框の嵌め込み溝に嵌め込み、鏡板の背面に沿わせて棧部材を左右の縦框間に配置し、棧部材の両端と縦框とを連結金具で連結することで扉パネルを組み立てることができて現場で扉パネルを容易に組み立てることができるものであり、また現場で容易に組み立てることができるために分解した状態で輸送できるために嵩低くして輸送したり、複数の分けることで軽量な状態で輸送したりできるものであり、また現場で組み立てるとき縦框や鏡板や棧部材の端を切断することで施工現場の開口に合わせて扉パネルの横幅や縦幅を任意に調整することができ、施工現場に容易に合わせて施工できるものであり、しかも扉パネルの横幅や縦幅を任意に調整できるために扉パネルの品種を少なくして対応することができるものである。
【００１３】
また本発明の請求項２の発明は、請求項１において、樹脂にて断面略ユ字状に形成せる別部材の縁部材に嵌め込み溝を設けると共に縁部材と縦框に沿わせて取り付けたので、縦框に縁部材を取り付けて容易に嵌め込み溝を形成することができ、安価に製造できるものである。
【図面の簡単な説明】
【図１】本発明の実施の形態の一例の要部の一部切欠分解斜視図である。
【図２】同上の組み立て状態の平面から見た断面図である。
【図３】同上の二つ折り扉の分解斜視図である。
【図４】同上の収納庫に一対の二つ折り扉を装着した状態の斜視図である。
【符号の説明】
１　縦框
２　嵌め込み溝
３　鏡板
４　棧部材
５　連結金具
【図１】
2004060240.tif 000003
【図２】
2004060240.tif 000004
【図３】
2004060240.tif 000005
【図４】
2004060240.tif 000006